(57)【要約】      （修正有）【課題】楽曲の演奏途中でも、別の楽曲の媒体に変更できるオルゴール装置を提供する。【解決手段】オルゴール装置１は、第１ガイド部材１０とともに搬送路を形成する開閉式ガイドユニット９を備え、開閉式ガイドユニット９は、第１ガイド部材１０に近接した閉じ位置、および、第１ガイド部材１０から離間し搬送路を開放する開き位置９Ｂに移動することが可能である。したがって、開閉式ガイドユニット９を開き位置９Ｂに移動させて、搬送機構３に媒体をセットしたり、搬送機構３から媒体を取り外したりすることができる。これにより、楽曲の演奏途中であっても、媒体を取り外して別の楽曲の媒体をセットすることが可能である。従って、楽曲の演奏が終わるまで待たなくても別の媒体に交換することができる。また、楽曲の途中から演奏することも可能である。【選択図】図２
0003220365.tif 000002
【実用新案登録請求の範囲】
【請求項１】
楽曲に対応した複数の音符孔が形成された媒体を、前記媒体の幅方向の端部に沿って並ぶ複数の搬送孔を用いて搬送することによって前記楽曲を演奏するオルゴール装置であって、
前記搬送孔に係合する突部が外周面に設けられたスプロケットと、
前記音符孔に係合する複数の爪部が外周面に設けられた爪車と、
前記スプロケットの回転軸線方向に延びており、前記爪車を回転可能に支持する連結軸と、
前記媒体の搬送に伴い、前記複数の爪部の１つが前記音符孔に係合した前記爪車が回転することにより、当該爪車の前記複数の爪部の他の１つにより弾かれる振動片を備えた振動板と、
前記爪車を経由する経路に沿って前記媒体を案内するガイド機構と、を有し、
前記ガイド機構は、
前記媒体の一方の面をガイドする第１ガイド部材と、
前記第１ガイド部材と対向して前記媒体の搬送路を形成する閉じ位置、および、前記閉じ位置よりも前記第１ガイド部材から離れた開き位置に移動可能な開閉式ガイドユニットと、を備えることを特徴とするオルゴール装置。
【請求項２】
前記開閉式ガイドユニットは、前記媒体を前記第１ガイド部材に向けて付勢する付勢部材を備えることを特徴とする請求項１に記載のオルゴール装置。
【請求項３】
前記開閉式ガイドユニットは、
前記閉じ位置において前記第１ガイド部材と対向する第２ガイド部材と、
前記閉じ位置において前記連結軸と平行に延びて前記爪車と対向する押さえローラと、
前記第２ガイド部材および前記押さえローラを支持するアームと、を備えることを特徴とする請求項１または２に記載のオルゴール装置。
【請求項４】
前記第１ガイド部材を支持するフレームを有し、
前記フレームに対して、前記アームがヒンジ部を介して連結されることを特徴とする請求項３に記載のオルゴール装置。
【請求項５】
前記媒体の前記幅方向の両端をガイドする側部ガイド部材を有することを特徴とする請求項４に記載のオルゴール装置。
【請求項６】
前記第１ガイド部材、前記第２ガイド部材、前記アームおよび前記側部ガイド部材の少なくとも一つは、板金からなることを特徴とする請求項５に記載のオルゴール装置。
【請求項７】
前記側部ガイド部材は、前記連結軸を支持することを特徴とする請求項５または６に記載のオルゴール装置。
【請求項８】
前記スプロケットを駆動するモータを有することを特徴とする請求項１から７の何れか一項に記載のオルゴール装置。
【請求項９】
手動により前記スプロケットを駆動する手動操作部を有することを特徴とする請求項１から７の何れか一項に記載のオルゴール装置。
【考案の詳細な説明】
【技術分野】
【０００１】
本考案は、複数の音符孔を有する媒体を用いて楽曲を演奏するオルゴール装置に関する。
【背景技術】
【０００２】
特許文献１には、楽曲に対応した複数の音符孔を有するテープ（媒体）を用いて楽曲を演奏するオルゴール装置が記載されている。同文献のオルゴール装置は、多数の音符孔が設けられたテープをオルゴール本体に通過させながら楽曲を演奏する装置であって、上下に対向することでテープの搬送路を形成する案内板と、テープに設けられた孔と順次係合する爪を有する爪板と、爪板の爪に弾かれる振動弁と、爪板を回転駆動する駆動機構とを備える。
【先行技術文献】
【特許文献】
【０００３】
【特許文献１】特公昭４８−１３０５４号公報
【考案の概要】
【考案が解決しようとする課題】
【０００４】
特許文献１のオルゴール装置は、搬送路を形成する上下の案内板がいずれも固定されている。このため、搬送路の前端の開口端よりテープを挿入して楽曲の演奏が始まると、演奏が終了してテープが搬送路の後端から排出されるまで、テープをオルゴール装置から取り出すことはできない。従って、楽曲の演奏途中で別の楽曲を演奏するテープに変更することができず、演奏しているテープの演奏が終了し、テープが搬送路の後端から排出されるまで待たなければならない。
【０００５】
本考案の課題は、このような点に鑑みて、楽曲の演奏途中でも、別の楽曲のテープ（媒体）に変更できるオルゴール装置を提供することにある。
【課題を解決するための手段】
【０００６】
上記課題を解決するため、本考案は、楽曲に対応した複数の音符孔が形成された媒体を、前記媒体の幅方向の端部に沿って並ぶ複数の搬送孔を用いて搬送することによって前記楽曲を演奏するオルゴール装置であって、前記搬送孔に係合する突部が外周面に設けられたスプロケットと、前記音符孔に係合する複数の爪部が外周面に設けられた爪車と、前記スプロケットの回転軸線方向に延びており、前記爪車を回転可能に支持する連結軸と、前記媒体の搬送に伴い、前記複数の爪部の１つが前記音符孔に係合した前記爪車が回転することにより、当該爪車の前記複数の爪部の他の１つにより弾かれる振動片を備えた振動板と、前記爪車を経由する経路に沿って前記媒体を案内するガイド機構と、を有し、前記ガイド機構は、前記媒体の一方の面をガイドする第１ガイド部材と、前記第１ガイド部材と対向して前記媒体の搬送路を形成する閉じ位置、および、前記閉じ位置よりも前記第１ガイド部材から離れた開き位置に移動可能な開閉式ガイドユニットと、を備えることを特徴とする。
【０００７】
本考案では、爪車を経由する経路に沿って媒体を案内するガイド機構が、媒体の一方の面をガイドする第１ガイド部材と、この第１ガイド部材と対向して媒体の搬送路を形成する閉じ位置、および、閉じ位置よりも第１ガイド部材から離れた開き位置に移動可能な開閉式ガイドユニットとを備える。このように、開閉式ガイドユニットが開閉可能であれば、搬送路を開放することができるので、楽曲の演奏の途中でもオルゴール装置から媒体を
取り外すことができ、新たな媒体を搬送機構にセットすることが可能である。従って、楽曲の演奏が終わるまで待たなくても別の媒体に交換することができる。また、楽曲の途中から演奏することが可能である。
【０００８】
本考案において、前記開閉式ガイドユニットは、前記媒体を前記第１ガイド部材に向けて付勢する付勢部材を備えることが好ましい。このようにすれば、搬送中の媒体を第１ガイド部材に押し付けることができるので、媒体を安定して搬送することができる。
【０００９】
本考案において、前記開閉式ガイドユニットは、前記閉じ位置において前記第１ガイド部材と対向する第２ガイド部材と、前記閉じ位置において前記連結軸と平行に延びて前記爪車と対向する押さえローラと、前記第２ガイド部材および前記押さえローラを支持するアームと、を備えることが好ましい。このようにすると、搬送路を構成する部材を一体にして開閉することができる。従って、搬送路を容易に開放できる。
【００１０】
本考案において、前記第１ガイド部材を支持するフレームを有し、前記フレームに対して、前記アームがヒンジ部を介して連結されることが好ましい。このようにすると、ヒンジ部を中心としたアームの回転動作によって開閉式ガイドユニットを開閉することができる。従って、搬送路を開放するための機構を簡素な構成にすることができる。また、簡単な操作で搬送路を開閉できる。
【００１１】
本考案において、前記媒体の前記幅方向の両端をガイドする側部ガイド部材を有することが好ましい。このようにすると、媒体の幅方向の動きを側部ガイド部材により規制できるので、媒体を安定して搬送することができる。また、媒体をセットする際、搬送孔とスプロケットの突部とが係合する位置への媒体の位置合わせが容易である。
【００１２】
本考案において、前記第１ガイド部材、前記第２ガイド部材、前記アームおよび前記側部ガイド部材の少なくとも一つは、板金からなることが好ましい。１枚の板金のプレス加工により各部材を形成すれば、部品点数および加工コストを低減することができる。
【００１３】
本考案において、前記側部ガイド部材は、前記連結軸を支持することが好ましい。このように、連結軸を支持する支持部と、側部ガイド部材とを兼用することにより、部品点数を少なくすることができる。
【００１４】
本考案において、前記スプロケットを駆動するモータを有する構成を採用することができる。この場合には、モータの駆動力によって楽曲を自動演奏させることができる。あるいは、本考案において、手動により前記スプロケットを駆動する手動操作部を有する構成を採用することができる。この場合には、電力を使用せずに楽曲を演奏させることができる。
【考案の効果】
【００１５】
本考案によれば、爪車を経由する経路に沿って媒体を案内するガイド機構が、媒体の一方の面をガイドする第１ガイド部材と、この第１ガイド部材と対向して媒体の搬送路を形成する閉じ位置、および、閉じ位置よりも第１ガイド部材から離れた開き位置に移動可能な開閉式ガイドユニットとを備える。このように、開閉式ガイドユニットが開閉可能であれば、搬送路を開放することができるので、楽曲の演奏の途中でもオルゴール装置から媒体を取り外すことができ、新たな媒体を搬送機構にセットすることが可能である。従って、楽曲の演奏が終わるまで待たなくても別の媒体に交換することができる。また、楽曲の途中から演奏することが可能である。
【図面の簡単な説明】
【００１６】
【図１】本考案を適用したオルゴール装置の外観斜視図である。
【図２】図１のオルゴール装置の開閉式ガイドユニットを開き位置に移動させた状態を示す外観斜視図である。
【図３】図２の状態のオルゴール装置の分解斜視図である。
【図４】図２の状態のオルゴール装置を幅方向から見た外観斜視図である。
【図５】スプロケットによる媒体の搬送状態を示す部分拡大図である。
【図６】搬送機構の拡大図である。
【図７】押さえローラ、爪車および振動板の部分拡大図である。
【図８】ガイド機構、爪車および振動板の側面図である。
【図９】振動板および爪車の動作説明図である。
【図１０】爪部を整列させる動作の説明図である。
【考案を実施するための形態】
【００１７】
以下に、図面を参照しながら、本考案を適用したオルゴール装置の実施形態を説明する。
【００１８】
（オルゴール装置の全体構成）
図１は、本考案を適用したオルゴール装置１の外観斜視図である。図２は、オルゴール装置１の開閉式ガイドユニット９を開き位置９Ｂに移動させた状態を示す外観斜視図である。図３は、図２の状態のオルゴール装置１の分解斜視図である。
【００１９】
図１に示すように、オルゴール装置１は、音符孔１０１が設けられた媒体１００を搬送することで楽曲を演奏するいわゆるカード式（テープ式）オルゴールである。ここで、本明細書の図中において、Ｘ方向はオルゴール装置１にセットした媒体１００の幅方向と一致し、幅方向の一方がＸ１であり、幅方向の他方がＸ２である。Ｙ方向は媒体１００の搬送方向と一致し、Ｙ１は搬送方向の下流側であり、Ｙ２は搬送方向の上流側である。Ｚ方向は、オルゴール装置１の高さ方向（上下方向）であり、上側がＺ１であり、下側がＺ２である。
【００２０】
図１から図３に示すように、オルゴール装置１は、媒体１００の搬送路Ｓ（図８参照）を形成するガイド機構２と、媒体１００をＹ１方向に搬送する搬送機構３と、媒体１００の音符孔１０１に係合して回転する爪車４と、爪車４の回転により爪車４に弾かれて音を発生させる振動板５と、爪車４を回転可能に支持する連結軸２２（図６、図７参照）と、搬送路Ｓの幅方向（Ｘ方向）の両側において媒体１００をガイドする側部ガイド部材７と、搬送機構３、振動板５、連結軸２２、および側部ガイド部材７を支持するフレーム８とを備える。フレーム８は亜鉛ダイカスト製であるが、亜鉛ダイカスト以外の鋳鉄や真ちゅう等からなる部材であってもよい。ガイド機構２は、爪車４を経由する経路に沿って媒体１００を案内する。ガイド機構２のＹ２方向の端部には、媒体１００を搬送路Ｓへ挿入するための挿入口２ａ（図２、図８参照）が設けられている。
【００２１】
図２に示すように、ガイド機構２は、第１ガイド部材１０と、第１ガイド部材１０に対して開閉可能な開閉式ガイドユニット９を備える。開閉式ガイドユニット９は、第１ガイド部材１０とＺ方向に対向する閉じ位置９Ａ（図１参照）と、閉じ位置９Ａよりも第１ガイド部材１０から離れた開き位置９Ｂ（図２参照）との間を移動可能である。閉じ位置９Ａは、第１ガイド部材１０との間にＹ方向に延びる搬送路Ｓ（図８参照）を形成する位置であり、開き位置９Ｂは、搬送路Ｓを開放する位置である。従って、開き位置９Ｂでは、媒体１００をオルゴール装置１から取り外すこと、および、媒体１００をオルゴール装置１にセットすることが可能である。図２に示すように、本形態の開き位置９Ｂは、閉じ位置９Ａに対して、開閉式ガイドユニット９のＸ２側の端部に設けられたヒンジ部５１を中心としてＺ１方向に９５°回転させた位置である。なお、閉じ位置９Ａに対する開き位置
９Ｂの回転角度は、９５°以外の角度であってもよい。但し、閉じ位置９Ａの側に倒れてくることを防止するため、９０°より大きな角度にすることが望ましい。
【００２２】
（媒体）
図１に示すように、媒体１００は一定幅の帯状の部材であり、紙、樹脂または金属等の素材からなる。本形態では、媒体１００は可撓性のテープである。なお、媒体１００として剛性のある板部材を用いることもできる。媒体１００には、楽曲を演奏するための複数の音符孔１０１と、媒体１００を搬送するための搬送孔１０２が設けられている。音符孔１０１は、爪車４の爪部４ｂ（図６〜図９参照）と係合する孔である。音符孔１０１は、楽曲に対応する位置に設けられている。従って、楽曲が複雑になると音符孔１０１の数も多くなる。また、媒体１００の長さは楽曲の長さに対応し、長い楽曲の場合、媒体１００の長さも長くなる。搬送孔１０２は、媒体１００の幅方向（Ｘ方向）の両端縁に沿って等間隔で並んでいる。後述する搬送機構３のスプロケット２１が順次、搬送孔１０２と係合して回転することにより、媒体１００が搬送される。
【００２３】
（オルゴール装置の各部の構成）
次に、オルゴール装置１の各部を詳細に説明する。図４は、図２の状態のオルゴール装置１を幅方向の他方側（Ｘ２側）から見た外観斜視図である。図５は、スプロケット２１による媒体１００の搬送状態を示す部分拡大図である。図６は、搬送機構３の部分拡大図である。図７は、押さえローラ３４、爪車４および振動板５の部分斜視図である。図８は、ガイド機構２、爪車４および振動板５の側面図である。
【００２４】
（第１ガイド部材）
図２、図３等に示すように、第１ガイド部材１０は、媒体１００のＺ２方向の面が接する搬送面を備えた平板状の第１ガイド板１１と、第１ガイド板１１のＹ２側（搬送方向の上流側）の端縁からＺ２方向に斜めに延びた下側入口ガイド部１２と、第１ガイド板１１の幅方向（Ｘ方向）の一部分を切り欠いてＺ２方向に曲げた２箇所の取付足部１３と、第１ガイド板１１のＸ方向の両端をＺ２方向に曲げた一対の位置決め足部１４とを有する。下側入口ガイド部１２は、ガイド機構２の挿入口２ａ（図１、図８参照）から媒体１００を挿入する際に、媒体１００を案内する。第１ガイド部材１０は、取付足部１３および位置決め足部１４により、フレーム８に対して位置決めされる。また、第１ガイド部材１０は、取付足部１３をフレーム８に対してねじ止めすることにより、フレーム８に固定される。第１ガイド部材１０は、単一の金属板からなり、プレス加工により上記の形状に成形されている。
【００２５】
（側部ガイド部材）
図１〜図４に示すように、側部ガイド部材７は、第１ガイド部材１０のＸ１側に配置された第１側部ガイド部材１５と、第１ガイド部材１０のＸ２側に配置された第２側部ガイド部材１６を備える。第１側部ガイド部材１５および第２側部ガイド部材１６は、それぞれ、フレーム８の上面に接する底板部１７と、底板部１７の幅方向（Ｘ方向）外側の端縁からＺ１方向に延びる側板部１８とを備える。第１側部ガイド部材１５および第２側部ガイド部材１６は、不図示のネジによりフレーム８に固定される。第１側部ガイド部材１５および第２側部ガイド部材１６は、それぞれ単一の金属板からなり、プレス加工により成形される。
【００２６】
第１側部ガイド部材１５および第２側部ガイド部材１６には、それぞれ、側板部１８の搬送方向（Ｙ方向）の中央付近をＺ２方向に切り欠いた切り欠き部１９が設けられている。切り欠き部１９は、図１に示す閉じ位置９Ａにおいて、開閉式ガイドユニット９が側板部１８と干渉しないように切り欠かれている。第１側部ガイド部材１５の切り欠き部１９は、後述する連結軸２２やギアユニット２３と干渉しないように、第２側部ガイド部材１
６の切欠き部１９よりもＺ２方向に大きく切り欠かれている。図４に示すように、第２側部ガイド部材１６の側板部１８には、連結軸２２のＸ２側の端部を通す支持孔２０が設けられている。従って、連結軸２２のＸ２側の端部は、第２側部ガイド部材１６によって支持される。
【００２７】
（搬送機構）
図２、図６に示すように、搬送機構３は、Ｘ方向で離間する２つのスプロケット２１と、２つのスプロケット２１を連結する連結軸２２と、モータ２４と、モータ２４の回転を連結軸２２に伝達するギアユニット２３を備える。モータ２４は、不図示のスイッチを介して不図示の電源と接続している。図５、図６に示すように、ギアユニット２３およびモータ２４は、支持プレート２６に取り付けられている。支持プレート２６は、フレーム８の上面と接する支持プレート底板部２６ａと、支持プレート底板部２６ａのＸ２側の端縁からＺ１方向に延びる支持プレート第１側板部２６ｂと、支持プレート底板部２６ａのＸ１側の端縁からＺ１方向に延びる支持プレート第２側板部２６ｃとを有する。支持プレート２６は、支持プレート底板部２６ａをフレーム８に対してねじ止めすることにより、フレーム８に固定される。支持プレート２６は、単一の金属板からなり、プレス加工により上記の形状に成形されている。
【００２８】
スプロケット２１は、媒体１００の幅方向（Ｘ方向）の端部が通過する位置に配置される。媒体１００の幅方向の一端および他端には、それぞれ、複数の搬送孔１０２が等間隔で１列に並んでいる。スプロケット２１は、円筒形の外周面に複数の突部２５を有する。図５に示すように、突部２５は媒体１００の搬送孔１０２と係合する。
【００２９】
連結軸２２は、Ｘ方向に延びる金属製の軸である。連結軸２２は、スプロケット２１の回転軸線方向（Ｘ方向）に延びており、スプロケット２１は、連結軸２２の両端に１つずつ固定されている。上記のように、連結軸２２のＸ２側の端部は、第２側部ガイド部材１６の側板部１８に設けられた支持孔２０に通されている。また、図６に示すように、連結軸２２のＸ１側の端部は、支持プレート第１側板部２６ｂに設けられた支持孔２７に通されている。従って、連結軸２２は、第２側部ガイド部材１６および支持プレート２６によって回転可能に支持されている。
【００３０】
ギアユニット２３は、モータ２４からの動力を連結軸２２に伝える機構である。図６に示すように、ギアユニット２３は、モータ２４の出力軸に設けられたウォーム２４ａ、第１ギア２８、および出力ギア２９を備える。第１ギア２８は、ウォーム２４ａと噛み合うウォームギア、および、出力ギア２９と噛み合う小径歯車部を備える。出力ギア２９に対し、スプロケット２１および連結軸２２が相対回転不能に連結されている。したがって、モータ２４からの動力は、出力ギア２９を介して連結軸２２およびスプロケット２１に伝わり、連結軸２２およびスプロケット２１は一体に回転する。連結軸２２の両端に設けられた２個のスプロケット２１が同期して回転し、各スプロケット２１の突部２５が媒体１００の幅方向（Ｘ方向）の両端においてそれぞれ搬送孔１０２と順次係合することで、媒体１００がＹ１方向に搬送される。
【００３１】
（爪車）
図６、図７に示すように、連結軸２２の両端に固定された２個のスプロケット２１の間には、複数の爪車４およびスペーサ３０が交互に配列される。爪車４およびスペーサ３０は、連結軸２２を通す孔が形成された環状部材である。スペーサ３０は、連結軸２２と一体に回転する。一方、爪車４は、連結軸２２に回転可能に支持される。爪車４には、連結軸２２およびスペーサ３０との間に作用する摩擦力によって連結軸２２の回転方向へ共回りする方向の回転力が付与される。
【００３２】
図８に示すように、爪車４は、円筒形の環状部４ａと、環状部４ａの外周面に等間隔で配置された複数の爪部４ｂを有する。本形態では、爪車４に４つの爪部４ｂが設けられている。図６、図７に示すように、各爪部４ｂの先端は、スペーサ３０の外周面よりも外周側へ突出する。各爪車４のＸ方向の位置は、スペーサ３０によって規制される。スペーサ３０は、各爪車４の位置が媒体１００を搬送した際に音符孔１０１が通過する経路上となり、且つ、各爪車４の爪部４ｂが振動板５の各振動片３１と向かい合う位置となるように爪車４の位置を規制している。図７に示すように、複数のスペーサ３０の一部は、後述する押さえローラ３４に一定間隔で設けられた第２大径部４４と対向する。
【００３３】
（振動板）
図３、図７に示すように、振動板５は櫛状に形成され、Ｘ方向に配列された複数の振動片３１を有する。振動板５は爪車４に対して媒体１００の搬送方向の上流側（Ｙ２側）に配置され、複数の振動片３１は、爪車４に先端を向けて延びている。振動板５は、金属製である。複数の振動片３１は互いに長さが異なり、異なる音を発生するように形状を調整してある。複数の振動片３１は、Ｘ２側からＸ１側へ向かうに従って発生する音の高さが順に高くなるように配列（音階配列）されている。振動板５は、連結軸２２に装着された複数の爪車４の爪部４ｂが、それぞれ、振動片３１の先端を弾くことができる位置に位置決めされている。図３に示すように、振動板５は、第１ガイド部材１０をフレーム８に固定するネジによってフレーム８に固定されている。
【００３４】
（振動板および爪車の動作）
ここで、図８、図９を参照して、振動板５と爪車４の動作を詳細に説明する。図９は、振動板５と爪車４の動作説明図であり、図９（ａ）は爪車４の爪部４ｂが音符孔１０１と係合していない状態を示し、図９（ｂ）は爪車４の爪部４ｂが音符孔１０１と係合した直後の状態を示し、図９（ｃ）は爪車４の爪部４ｂが振動板５の振動片３１の先端を弾く状態を示す。図９において、爪車４に設けられた４箇所の爪部４ｂをそれぞれ符号４ｂ（１）、４ｂ（２）、４ｂ（３）、４ｂ（４）で示す。なお、図９において、媒体１００の厚さを実際より大きく表示している。
【００３５】
図８に示すように、媒体１００は、爪車４およびスペーサ３０と、押さえローラ３４との間を通る経路を通過する。連結軸２２は、媒体１００をＹ１方向へ搬送するために、図９に示すＲ方向へ回転する。爪車４には、連結軸２２およびスペーサ３０との間に働く摩擦力によってＲ方向の回転力が付与される。ここで、媒体１００は、後述する押さえローラ３４の第２大径部４４とスペーサ３０の外周面との間を通過する際、後述する付勢部材５７によって第１ガイド部材１０の側（Ｚ２側）へ付勢される。従って、媒体１００は、爪部４ｂと干渉する位置を通って搬送される。従って、図９（ａ）に示すように、爪車４の爪部４ｂ（１）、４ｂ（２）、４ｂ（３）、４ｂ（４）がいずれも音符孔１０１と係合していない状態においては、爪車４は、搬送されている媒体１００の下面に爪部４ｂの一部（例えば、爪部４ｂ（１）、４ｂ（２））が接触し、媒体１００によって爪車４の回転が規制される。従って、爪車４は回転することはなく、媒体１００に対して滑っている。
【００３６】
図９（ｂ）に示すように、爪車４の爪部４ｂのうちの１つ（例えば、爪部４ｂ（１））が音符孔１０１と係合すると、媒体１００をＹ１方向へ搬送する力によって、爪車４はＲ方向に回転を始める。図９（ｃ）に示すように、音符孔１０１と係合した爪部４ｂ（１）とは別の爪部４ｂ（４）が振動板５の振動片３１の先端と衝突する位置を通過する際に、爪部４ｂ（４）が振動片３１を弾くので、振動片３１は振動し、オルゴールの音が発生する。媒体１００によって爪車４が回転させられる際に爪車４に付与される回転力は、爪部４ｂが振動片３１を弾くために必要な回転力より大きいので、爪車４は、媒体１００によって回転させられるときは、爪部４ｂによって振動片３１を弾くことができる。複数の爪車４によって、順次、音符孔１０１に対応する位置に設けられた振動片３１が弾かれるこ
とにより、音符孔１０１の配置に対応する順序で音が発生し、楽曲が演奏される。
【００３７】
ここで、オルゴール装置１に媒体１００がセットされていない状態で搬送機構３を駆動しても、爪部４ｂによって振動片３１を弾くことはできず、オルゴールの音は発生しない。すなわち、爪車４がスペーサ３０および連結軸２２との間に働く摩擦力のみによって連結軸２２と共回りして回転する場合には、この摩擦力は、爪部４ｂによって振動片３１を弾くために必要な回転力より小さいので、爪部４ｂが振動片３１と衝突した位置で爪車４が停止し、爪車４と、スペーサ３０および連結軸２２との間にすべりが生じて連結軸２２およびスペーサ３０だけが回転し続ける。よって、オルゴールの音は発生しない。
【００３８】
（開閉式ガイドユニット）
図１、２に示すように、開閉式ガイドユニット９は、閉じ位置９ＡにおいてＸ方向に延びるアーム３２と、アーム３２のＹ２側に取り付けられた第２ガイド部材３３と、アーム３２の内部に配置された押さえローラ３４と、押さえローラ３４の搬送方向上流側（Ｙ２側）に取り付けられた付勢部材５７とを備える。アーム３２は、閉じ位置９ＡにおいてＺ１方向を向くアーム上板部３５と、アーム上板部３５のＹ方向の両側の端縁からＺ２方向に延びるアーム側板部３６ａ、３６ｂとを備える。アーム３２は、単一の金属板からなり、プレス加工により上記の形状に成形される。アーム３２は、アーム上板部３５のＸ方向の両端に近い部分をそれぞれ矩形に切り欠いた開口部３５ａ、３５ｂを備えると共に、アーム上板部３５のＸ方向の中央部分を切り欠いた矩形の開口部３５ｃを備える。図２、図３に示すように、アーム３２のＸ１方向の端部に設けられた開口部３５ａのＸ１方向の縁、および、アーム３２のＸ２方向の端部に設けられた開口部３５ｂのＸ２方向の縁には、それぞれ、Ｚ２方向に延びる支持片３７が設けられている。各支持片３７には、押さえローラ３４を回転可能に支持するための支持孔３７ａが設けられている。
【００３９】
第２ガイド部材３３は、平板状の第２ガイド板３８と、第２ガイド板３８のＹ２側（搬送方向の上流側）の端縁からＺ１方向に斜めに延びた上側入口ガイド部３９と、第２ガイド板３８のＹ１側の端縁からＺ１方向へ曲げられた取付板部４０と、第２ガイド板３８のＸ方向の両端縁からそれぞれＺ１方向へ曲げられた一対のガイド側板部４１とを備える。第２ガイド部材３３は、単一の金属板からなり、プレス加工により上記の形状に成形される。上側入口ガイド部３９は、閉じ位置９Ａにおいて第１ガイド部材１０の下側入口ガイド部１２とＺ方向に対向して、ガイド機構２の挿入口２ａ（図１、図８参照）を形成する。上側入口ガイド部３９は、挿入口２ａから搬送路Ｓへ媒体１００を挿入する際に、媒体１００を案内する。取付板部４０をアーム側板部３６ａにネジ止めすることにより、第２ガイド部材３３はアーム３２に固定される。
【００４０】
図８に示すように、開閉式ガイドユニット９が閉じ位置９Ａに位置する状態では、第２ガイド板３８と、第１ガイド板１１との間に媒体１００の厚さより大きい隙間が形成される。媒体１００の搬送路Ｓは、第１ガイド板１１と第２ガイド板３８との隙間を経由し、押さえローラ３４と爪車４およびスプロケット２１の間を通るように構成される。図２に示すように、開閉式ガイドユニット９が開く開き位置９Ｂにおいて、第２ガイド板３８は第１ガイド部材１０から大きく離間し、押さえローラ３４は爪車４およびスプロケット２１から大きく離間する。従って、搬送路Ｓは開放される。
【００４１】
図３に示すように、アーム３２は、アーム上板部３５およびアーム側板部３６ａ、３６ｂによって囲まれる溝状の内部空間を備えており、アーム３２の内部空間に押さえローラ３４が配置される。押さえローラ３４は、ローラ軸４２と、ローラ軸４２の外周面に設けられた第１大径部４３および第２大径部４４を備える。ローラ軸４２は、開閉式ガイドユニット９が閉じる閉じ位置９Ａにおいて、連結軸２２とＺ方向で対向する。第１大径部４３はスプロケットとＺ方向で対向する位置に配置され、第２大径部４４はスペーサ３０と
Ｚ方向で対向する位置に配置される。第２大径部４４のＸ方向の幅は、スペーサ３０のＸ方向の幅より狭い。搬送される媒体１００は、第２大径部４４とスペーサ３０とで挟まれるので、媒体１００は安定して搬送される。なお、第２大径部４４は、必ずしも媒体１００をスペーサ３０に押し付ける構成ではなく、第２大径部４４と媒体１００との間に僅かな隙間が生じる構成であってもよい。
【００４２】
図４に示すように、アーム３２は、Ｘ２方向の端部において、ヒンジ部５１によりフレーム８と連結される。ヒンジ部５１は、アーム側板部３６ａ、３６ｂをＹ方向に貫通する２箇所のヒンジ孔３６ｃと、Ｙ方向に対向する２箇所の固定孔５３を有するヒンジ台５２と、金属製のヒンジピン５４とを有する。ヒンジ台５２は、フレーム８と接する底板５５と、底板５５のＹ方向の両側の端縁からそれぞれＺ１方向に延びる側板５６ａ、５６ｂを有する。固定孔５３は、側板５６ａ、５６ｂの上端部分をＹ方向に貫通する。ヒンジ台５２は、単一の金属板からなり、プレス加工により上記の形状に成形される。ヒンジ台５２をフレーム８に固定し、ヒンジピン５４を固定孔５３およびヒンジ孔３６ｃに通すことにより、アーム３２がフレーム８に対してヒンジ部５１を介して連結される。これにより、アーム３２はヒンジピン５４を中心として回転可能となるので、開閉式ガイドユニット９は閉じ位置９Ａおよび開き位置９Ｂに移動可能となる。
【００４３】
図８に示すように、開閉式ガイドユニット９に設けられた付勢部材５７は、第２ガイド部材３３と第１ガイド部材１０とが対向する閉じ位置９Ａにおいて、媒体１００をＺ２方向に付勢する。図３に示すように、付勢部材５７は、アーム側板部３６ａと取付板部４０とに挟まれる取付板部５８と、取付板部５８の下端縁からＹ１方向へ斜めに延びた板バネ部５９とを有する。取付板部５８は、第２ガイド部材３３がアーム３２に固定される際、共通のネジによってアーム３２に固定される。図８に示すように、板バネ部５９の先端は湾曲形状であり、湾曲面が媒体１００と接触する。開閉式ガイドユニット９が閉じ位置９Ａに移動すると、板バネ部５９はＺ１方向へ撓み、Ｚ２方向に向かう弾性力を発生させる。従って、板バネ部５９の弾性力によって媒体１００が第１ガイド板１１へ押し付けられる。
【００４４】
図１、図３等に示すように、アーム３２において、ヒンジ部５１が配置された端部とは反対側の端部には、アーム３２の開き動作を規制するロック機構６１が設けられている。ロック機構６１は、搬送機構３のＸ１側においてフレーム８からＺ１方向に延びる支柱６２と、アーム上板部３５を貫通するロック孔６３と、支柱６２に係合するロック片６４とを有する。支柱６２は円柱状であり、先端部分の外周面に周方向に延びる溝部６５を有する。ロック孔６３は、開閉式ガイドユニット９が閉じ位置９Ａに移動した状態で支柱６２が挿入される孔である。ロック片６４は、支点ピン６６を中心としてアーム上板部３５に回転可能に取り付けられる。ロック片６４の一端には、溝部６５と係合して支柱６２を係止する係止部６４ａが設けられ、ロック片６４の他端には、操作片６４ｂが設けられている。なお、ロック片６４は、係止部６４ａが支柱６２と係合する方向に不図示のバネ等で付勢されている。
【００４５】
（媒体の取り外し方法およびセット方法）
以下に、楽曲の途中で媒体１００を交換する方法を説明する。まず、モータ２４の回転を停止してオルゴール装置１の演奏を止め、ロック片６４の係止部６４ａと支柱６２の溝部６５との係合を解除する。そして、開閉式ガイドユニット９をＺ１側へ持ち上げて開き位置９Ｂに移動させ、搬送路Ｓを開放する。この状態で、媒体１００を持ち上げて搬送孔１０２からスプロケット２１の突部２５を外し、搬送路Ｓから媒体１００を取り外す。これにより、楽曲の最後まで演奏しなくても、媒体１００を取り外すことができる。
【００４６】
別の楽曲に変更したい場合には、媒体１００を取り外した後、搬送路Ｓを開放したまま
で、次にセットする媒体１００を第１ガイド部材１０の上に置き、搬送孔１０２をスプロケット２１の突部２５と係合させる。このとき、爪部４ｂが押さえローラ３４の側（Ｚ１側）へ突出した状態になっている爪車４があると、Ｚ１側へ突出した爪部４ｂと媒体１００とが干渉して、媒体１００をセットできない（搬送孔１０２に突部２５を係合させることができない）という問題がある。そこで、以下に説明するように、媒体１００をセットする前に、モータ２４を逆回転させて全ての爪車４の爪部４ｂを整列させる動作を行う。
【００４７】
図１０は、爪部４ｂを整列させる動作の説明図である。図１０（ａ）はモータ２４を逆回転させて、爪車４の爪部４ｂを振動板５の振動片３１の先端に当接させた状態を示し、図１０（ｂ）は媒体１００が爪車４の上に配置された状態を示す。搬送路Ｓに媒体１００をセットしていない状態で、モータ２４を逆回転させると、図１０（ａ）に示すように、爪車４には、連結軸２２およびスペーサ３０との間に働く摩擦力によって−Ｒ方向の回転力が付与される。これにより、爪車４は、爪部４ｂのうちの１つ（例えば、爪部４ｂ（１））が振動板５の振動片３１の先端と当接する位置まで回転する。上記のように、爪車４は、連結軸２２およびスペーサ３０との間に働く摩擦力のみによって回転する場合には振動片３１を弾くことができないので、この動作により、全ての爪車４の爪部４ｂが図１０（ａ）に示す位置で整列する。この状態で、セットする媒体１００を第１ガイド部材１０の上に置くと、図１０（ｂ）に示すように、媒体１００に押された爪車４がＲ方向に回転する。図１０（ａ）に示す整列位置では、爪部４ｂがＺ１方向に対して傾いているため、爪車４に媒体１００を載せると、爪車４は図１０（ｂ）に示す位置まで回転する。これにより、媒体１００の搬送孔１０２をスプロケット２１の突部２５と係合させることができる。
【００４８】
媒体１００をセットした後、開閉式ガイドユニット９を閉じ、ロック片６４の係止部６４ａを支柱６２の溝部６５に係合させてロック状態とする。この方法により、楽曲の途中で媒体１００を交換できる。また、媒体１００をセットする前に爪部４ｂを整列させる動作を行うことで、爪車４の爪部４ｂの向きを整列させた状態から媒体１００をセットすることができる。従って、媒体１００をスムーズにセットすることができる。
【００４９】
楽曲の途中から演奏したい場合は、上記のように開閉式ガイドユニット９を開き位置９Ｂに移動させて搬送路Ｓを開放した状態で媒体１００をセットする際、媒体１００の演奏したい部分の音符孔を爪車４の直前の位置に合わせるように媒体１００を位置決めし、媒体１００の搬送孔１０２をスプロケット２１の突部２５と係合させる。この場合においても、媒体１００をセットする前に、図１０に示す整列動作（爪車４を逆回転させて爪部４ｂを整列させる動作）を行う。整列動作によって爪部４ｂの位置を揃えることにより、爪部４ｂが媒体１００と干渉することを抑制できる。また、音符孔１０１に爪部４ｂが不用意に引っ掛かることを抑制できる。従って、媒体１００をスムーズにセットすることができる。その後、上記のように開閉式ガイドユニット９を閉じてロック状態とする。セット完了後、モータ２４を駆動すると、媒体１００が搬送され、楽曲が途中から演奏される。
【００５０】
楽曲を曲の最初から演奏する場合には、開閉式ガイドユニット９を閉じた状態にしたままでオルゴール装置１に媒体１００をセットすることも可能である。搬送路Ｓの入口（ガイド機構２の挿入口２ａ）は、第２ガイド部材３３の上側入口ガイド部３９および第１ガイド部材１０の下側入口ガイド部１２によって構成されており、Ｙ２側へ向かうに従って開口高さが拡がっている。従って、媒体１００の挿入が容易である。挿入口２ａから媒体１００の先端を搬送路Ｓへ挿入し、媒体１００の搬送孔１０２がスプロケット２１の突部２５と係合するまで手で媒体１００を送り込むことにより、媒体１００をセットする。セット完了後、モータ２４を駆動すると、媒体１００が搬送され、楽曲が曲の最初から演奏される。
【００５１】
（本形態の主な作用効果）
以上説明したように、本形態のオルゴール装置１は、楽曲に対応した複数の音符孔１０１が形成された媒体１００を、媒体１００の幅方向の端部に沿って並ぶ複数の搬送孔１０２を用いて搬送することによって楽曲を演奏するものであり、搬送孔１０２に係合する突部２５が外周面に設けられたスプロケット２１と、音符孔１０１に係合する複数の爪部４ｂが外周面に設けられた爪車４と、スプロケット２１の回転軸線方向に延びており、爪車４を回転可能に支持する連結軸２２と、媒体１００の搬送に伴い、複数の爪部４ｂの１つが音符孔１０１に係合した爪車４が回転することにより、当該爪車４の複数の爪部４ｂの他の１つにより弾かれる振動片３１を備えた振動板５と、爪車４を経由する経路に沿って媒体１００を案内するガイド機構２と、を有し、ガイド機構２は、媒体１００の一方の面をガイドする第１ガイド部材１０と、第１ガイド部材１０と対向して媒体１００の搬送路Ｓを形成する閉じ位置９Ａ、および、閉じ位置９Ａよりも第１ガイド部材１０から離れた開き位置９Ｂに移動可能な開閉式ガイドユニット９と、を備える。
【００５２】
このように、本形態では、第１ガイド部材１０とともに搬送路Ｓを形成する開閉式ガイドユニット９を備え、開閉式ガイドユニット９は、第１ガイド部材１０に近接した閉じ位置９Ａおよび第１ガイド部材１０から離間し搬送路Ｓを開放する開き位置９Ｂに移動することが可能である。したがって、開閉式ガイドユニット９を開き位置９Ｂに移動させて、搬送機構３に媒体１００をセットしたり、搬送機構３から媒体１００を取り外したりすることができる。この結果、楽曲の演奏途中であっても、媒体１００を取り外して別の楽曲の媒体１００をセットすることが可能である。従って、楽曲の演奏が終わるまで待たずに別の媒体１００に交換することができる。また、楽曲の途中から演奏することが可能である。
【００５３】
本形態の開閉式ガイドユニット９は、閉じ位置９Ａにおいて、媒体１００を爪車４と挟む位置で対向する押さえローラ３４と、第１ガイド部材１０と対向する第２ガイド部材３３と、押さえローラ３４をＸ方向に支持するとともに、第２ガイド部材３３を保持するアーム３２とを備える。このように、搬送路Ｓを構成する複数の部材をアーム３２によって連結することにより、搬送路Ｓを覆っている部材を一体にして開閉することができる。従って、搬送路Ｓを容易に開放できる。
【００５４】
本形態の開閉式ガイドユニット９は、閉じ位置９Ａにおいて、媒体１００を第１ガイド部材１０に向けて付勢する付勢部材５７を備える。したがって、搬送される媒体１００を第１ガイド部材１０に押し付けることができるので、媒体１００を安定して搬送することができる。
【００５５】
本形態の開閉式ガイドユニット９は、開閉式ガイドユニット９のＸ方向の端部において、第１ガイド部材１０を支持するフレーム８に対してヒンジ部５１を介して連結される。このようにすると、ヒンジ部５１を中心としたアーム３２の回転動作によって、開閉式ガイドユニット９を開閉することができる。従って、搬送路Ｓを開放するための機構を簡素な構成にすることができる。また、簡単な操作で搬送路Ｓを開放できる。
【００５６】
本形態では、媒体１００の幅方向の両端をガイドする側部ガイド部材７をさらに備える。したがって、媒体１００の幅方向の動きを側部ガイド部材７により規制できるので、媒体１００を安定して搬送することができる。また、媒体１００をセットする際、搬送孔１０２とスプロケット２１の突部２５とが係合する位置への媒体１００の位置合わせが容易である。
【００５７】
本形態では、第１ガイド部材１０、第２ガイド部材３３、アーム３２および側部ガイド部材７は、いずれも単一の金属板から形成される。金属板をプレス加工して上記各部材を
形成することにより、部品点数および加工コストを低減させることができる。なお、上記各部材のうち、少なくとも１つが単一の金属板から形成されるものであってもよい。
【００５８】
本形態では、側部ガイド部材７によって連結軸２２が支持されており、側部ガイド部材７に連結軸２２の端部を配置する支持孔２０が設けられている。したがって、連結軸２２を支持する部材を別途設ける必要がないため、部品点数を少なくすることができる。
【００５９】
（他の実施形態）
上記形態は、スプロケット２１を駆動する駆動源としてモータ２４を用いたが、手動でスプロケット２１を駆動するように構成してもよい。例えば、手動で連結軸２２を回すレバー等の手動操作部を設けて、連結軸２２を介してスプロケット２１を駆動することができる。
【符号の説明】
【００６０】
１…オルゴール装置、２…ガイド機構、２ａ…挿入口、３…搬送機構、４…爪車、４ａ…環状部、４ｂ、４ｂ（１）、４ｂ（２）、４ｂ（３）、４ｂ（４）…爪部、５…振動板、７…側部ガイド部材、８…フレーム、９…開閉式ガイドユニット、９Ａ…閉じ位置、９Ｂ…開き位置、１０…第１ガイド部材、１１…第１ガイド板、１２…下側入口ガイド部、１３…取付足部、１４…位置決め足部、１５…第１側部ガイド部材、１６…第２側部ガイド部材、１７…底板部、１８…側板部、１９…切り欠き部、２０…支持孔、２１…スプロケット、２２…連結軸、２３…ギアユニット、２４…モータ、２４ａ…ウォーム、２５…突部、２６…支持プレート、２６ａ…支持プレート底板部、２６ｂ…支持プレート第１側板部、２６ｃ…支持プレート第２側板部、２７…支持孔、２８…第１ギア、２９…出力ギア、３０…スペーサ、３１…振動片、３２…アーム、３３…第２ガイド部材、３４…押さえローラ、３５…アーム上板部、３５ａ、３５ｂ、３５ｃ…開口部、３６ａ、３５ｂ…アーム側板部、３６ｃ…ヒンジ孔、３７…支持片、３７ａ…支持孔、３８…第２ガイド板、３９…上側入口ガイド部、４０…取付板部、４１…ガイド側板部、４２…ローラ軸、４３…第１大径部、４４…第２大径部、５１…ヒンジ部、５２…ヒンジ台、５３…固定孔、５４…ヒンジピン、５５…底板、５６ａ、５６ｂ…側板、５７…付勢部材、５８…取付板部、５９…板バネ部、６１…ロック機構、６２…支柱、６３…ロック孔、６４…ロック片、６４ａ…係止部、６４ｂ…操作片、６５…溝部、６６…支点ピン、１００…媒体、１０１…音符孔、１０２…搬送孔、Ｓ…搬送路
【図１】
0003220365.tif 000003
【図２】
0003220365.tif 000004
【図３】
0003220365.tif 000005
【図４】
0003220365.tif 000006
【図５】
0003220365.tif 000007
【図６】
0003220365.tif 000008
【図７】
0003220365.tif 000009
【図８】
0003220365.tif 000010
【図９】
0003220365.tif 000011
【図１０】
0003220365.tif 000012